(57)【要約】      （修正有）【課題】ペンダントヘッドとしての使用だけでなく、筆記具の端部にもセットできるようにしたことで、大人のみならず、子供の勉強やスポーツにもサポートする香を提供できるメディカルアロマ収容具を提供する。【解決手段】上半に矩形窓状の開口４を横並びで並列させ、下半に透孔５による網状彫刻を施した上端開口３の金属製筒体１であり、該筒体１の内部に、天然素材を低温真空抽出法で抽出した水溶性アロマ液を染み込ませたコットン球２を収納し、上端開口３は鉛筆等の筆記具の端部が嵌合するに適する径であり、また、ペンダントヘッド吊下げ用貴金属チェーン９を矩形窓状の開口４を介して挿通させて上端開口３を横切らせる。【選択図】図１
0003224451.tif 000002
【実用新案登録請求の範囲】
【請求項１】
上半に窓状の開口を横並びで並列させ、下半に透孔による網状彫刻を施した上端開口の金属製筒体であり、該筒体内部に、天然素材を低温真空抽出法で抽出した水溶性アロマ液を染み込ませたコットン球を収納し、前記上端開口は鉛筆等の筆記具の端部が嵌合するに適する径であり、また、ペンダントヘッド吊下げ用貴金属チェーンを前記窓状の開口を介して挿通させて前記上端開口を横切らせることを特徴とするメディカルアロマ収容具。
【請求項２】
金属製筒体の金属は貴金属である請求項１記載のメディカルアロマ収容具。
【考案の詳細な説明】
【技術分野】
【０００１】
本考案は、メディカルアロマによる芳香を発することができるコットン球のメディカルアロマ収容具に関するものである。
【背景技術】
【０００２】
アロマセラピーは大きく分けて、医療的な見地から発達したフランス系の「メディカル・アロマセラピー」と、美容的側面の強い英国系のエステティック・アロマセラピー」がある。
【０００３】
フランスやベルギーでは、アロマセラピーは長らく医療行為として認められてきた。そのため、精油は医薬品として扱われ、薬局でしか販売することができなかった。
【０００４】
一方で我国では、エステティックサロンなどの美容分野からアロマセラピーは広まった。そのため、精油は雑貨扱いされ、アロマセラピーそのものも、単なるリラクゼーションの1つと認識されている。
【０００５】
出願人は先に、単なるリラクゼーション効果でなく、効率的に体内へと吸い込まれるこの香りが脳にダイレクトに作用することで脳内の血流を増やし脳を若返らせるというメディカル効果を実現できるとともに、コンパクトで、高級感を与える身装品に相応しく、また、アロマ液を染み込ませたコットン球の収まりもよく、かつ、芳香の発散通過も効果的なメディカルアロマ身装品ヘッドとして下記の特許文献のものを提案した。
【特許文献１】特開平２０１９−１０７２５７号公報
【０００６】
図４に示すように、透孔による彫刻を施した２個の同形の籠状湾曲皿体２３の縁２３ａ同士を衝合し、両縁２３ａが対応する１箇所の位置に設けた蝶番２４等により回動自在に開閉可能となる２個の籠状湾曲皿体２３のうち、一方の縁２３ａの１カ所に留め金凸部２５ａ１個を付設し、該留め金凸部２５ａに対応する他方の縁２３ａの位置に留め金凹部２５ｂ１個を設けてなる開閉可能な籠状扁平球体ヘッド２０であり、一方の籠状湾曲皿体２３の内側中央には内嵌になる第１筒体２６を、他方の籠状湾曲皿体２３の内側中央に前記第１筒体２６に施蓋をする第２筒体２７をそれぞれ内側に開口するように設け、前記第１筒体２６には側方に透孔２８を形成し、前記第２筒体２７には上面に籠状湾曲皿体２３の表側に通じる透孔２９を形成し、天然素材を低温真空抽出法で抽出した水溶性アロマ液を染み込ませたコットン球２１をこれら第１筒体２６と第２筒体２７で構成する筒体収納部３１に収めた。
【０００７】
なお、装飾性を高めるため第２筒体２７の裏側、すなわち、籠状湾曲皿体２３の表側中央にダイヤ等の宝石を埋め込み、前記透孔２９はこの宝石を囲むように配列される。
【０００８】
前記２個の籠状湾曲皿体２３のうち、一方の縁２３ａの１カ所にチェ―ンを取付けるリング状のチェ―ン取付部３３を形成した。
【０００９】
次に使用法について説明する。２個の籠状湾曲皿体２３は開閉可能なものであり２個を衝合させ１個の扁平な籠状扁平球体ヘッド２０となるので、これをチェーンで吊支すれば、ネックレスヘッドとなる。
【００１０】
２個の籠状湾曲皿体２３は開閉すると、同時に筒体収納部３１を構成する第１筒体２６と蓋体としての第２筒体２７も開閉する。
【００１１】
そこで、開いた第１筒体２６と蓋体としての第２筒体２７内に、水溶性アロマ液を染み込ませたコットン球２１を納める。
【００１２】
２個の籠状湾曲皿体２３を閉じて筒体収納部３１にコットン球２１を納めると、２個の籠状湾曲皿体２３に直接収める場合に比べてコットン球２１は動くことなく安定した状態で保持できる。
【００１３】
そして、水溶性アロマ液を染み込ませたコットン球２１からの芳香は第１筒体２６の側方に設けた透孔２８から出て扁平な籠状扁平球体ヘッド２０内に入り、さらに透孔２２から籠状扁平球体ヘッド２０の外側にでるものと、透孔２９や透孔３０から直接籠状扁平球体ヘッド２０の外側にでるものとの２通りの流れになり、身体に及ぶ。
【００１４】
特にネックレスヘッドの場合は籠状扁平球体ヘッド２０は首もしくは首の直下に位置し、着衣の形状或いは種類等（たとえば、レインコート、オーバー）によってネックレスヘッドが覆われてしまうことはない。
【００１５】
籠状扁平球体ヘッド２０から効率的に体内へと吸い込まれるこの香りは、脳にダイレクトに作用することで脳内の血流を増やし脳を若返らせる効果がある。現代の医療では認知症にかかってしまうと、その抜本的な治療法は確立されていないが、アロマセラピーを用いた実験では、実際に中程度の認知症患者を対象としたその効果が証明されている。
【００１６】
認知症に効果がある柑橘系の香り（朝と昼に使用）には交感神経の働きを活発にする作用があり、大脳の血管が拡張され脳血流が増えると考えられている。血流（栄養）が脳にいくことでやる気が出て認知症の予防・改善につながると推察される。ジャスミンの香りは副交感神経を優位にし、不眠改善や不安軽減を促すと考えられる。
【考案の概要】
【考案が解決しようとする課題】
【００１７】
前記特許文献１のメディカルアロマ身装品ヘッドはペンダントヘッドとしての使用のみであった。
【００１８】
本考案の目的は前記従来例に改良を加え、ペンダントヘッドとしての使用だけでなく、筆記具の端部にもセットできるようにしたことで、大人のみならず、子供の勉強やスポーツにもサポートする香を提供できるメディカルアロマ収容具を提供することにある。
【課題を解決するための手段】
【００１９】
前記目的を達成するため請求項１記載の本考案は、上半に窓状の開口を横並びで並列させ、下半に透孔による網状彫刻を施した上端開口の金属製筒体であり、該筒体内部に、天然素材を低温真空抽出法で抽出した水溶性アロマ液を染み込ませたコットン球を収納し、前記上端開口は鉛筆等の筆記具の端部が嵌合するに適する径であり、また、ペンダントヘッド吊下げ用貴金属チェーンを前記窓状の開口を介して挿通させて前記上端開口を横切らせることを要旨とするものである。
【００２０】
請求項１記載の本考案によれば、ペンダントヘッド吊下げ用貴金属チェーンを用いて吊下げることによりのペンダントヘッドの使用もできるとともに鉛筆等の筆記具の端部に嵌合させて首から下げる以外で身近に置くこともでき、大人のみならず、子供の勉強やスポーツにもサポートする香を提供することができる。
【００２１】
また、筒体内部に、天然素材を低温真空抽出法で抽出した水溶性アロマ液を染み込ませたコットン球を収納するが、ペンダントヘッドの使用の場合はペンダントヘッド吊下げ用貴金属チェーンを前記窓状の開口を介して挿通させて前記上端開口を横切らせることでコットン球が外に出ることを防止でき、鉛筆等の筆記具に取付けて使用する場合は、筆記具の端が蓋となってコットン球が外に出ることを防止できる。
【００２２】
なお、水溶性アロマ液を染み込ませたコットン球からの天然素材を低温真空抽出法で抽出した水溶性アロマ液からの香りは、筒体の側方に設けた透孔から外へ出て身体に及び、効率的に体内へと吸い込まれ、脳にダイレクトに作用することで脳内の血流を増やし脳を若返らせる効果がある。
【００２３】
請求項２記載の本考案は金属製筒体の金属は貴金属であることを要旨とするものである。
【００２４】
請求項２記載の本考案によれば、金、銀、プラチナ等の貴金属を使用することで、コンパクトで、高級感を与える身装品に相応しいものとすることができる。
【考案の効果】
【００２５】
以上述べたように本考案のメディカルアロマ収容具は、ペンダントヘッドとしての使用だけでなく、筆記具の端部にもセットできるようにしたことで、大人のみならず、子供の勉強やスポーツにもサポートする香を提供できるものである。
【図面の簡単な説明】
【００２６】
【図１】本考案のメディカルアロマ収容具の１実施形態を示すペンダントヘッドとしての使用を示す斜視図である。
【図２】本考案のメディカルアロマ収容具の１実施形態を示す底方向からの斜視図である。
【図３】本考案のメディカルアロマ収容具の１実施形態を示す筆記具の端部のセット状態を示す斜視図である。
【図４】従来例であるメディカルアロマ身装品ヘッドの斜視図である。
【考案を実施するための形態】
【００２７】
以下、図面について本考案の実施例を詳細に説明する。図１は本考案のメディカルアロマ収容具の１実施形態を示すペンダントヘッドとしての使用を示す斜視図で，本考案は銀もしくは金、またはプラチナの貴金属合金による金属製筒体１の内部に天然素材を低温真空抽出法で抽出した水溶性アロマ液を染み込ませたコットン球２を収納するものである。
【００２８】
コットン（綿）球２に、染み込ませる天然素材を低温真空抽出法で抽出した水溶性アロマ液は、天然素材を日本で開発された低温真空抽出法と言う、これまでにない全く新しい抽出技術を用いて丁寧に作られた最高級のセルエキストラクト（登録商標）（水溶性アロマ液）を使用した。使用される柑橘系の香りは、臨床実験でも認知症への予防改善効果が発表されている。
【００２９】
コットン球２には香球（登録商標）というネーミングが付されており、人の健康や美容に関する「香り」の効果について、ヨーロッパを中心とした世界各国で盛んに研究が行われている。
【００３０】
その中でも画期的な研究、実験手法で世界から高い注目を集めている大阪大学名誉教授永井克也氏監修のもと、香球は開発された。
【００３１】
大阪大学での長年にわたる研究とアロマセラピーの本場フランスをはじめとするヨーロッパ各国の研究者との交流の中で、本物のピュアな精油の香りが心と身体の健康に作用するということが科学的に証明されている。
【００３２】
前記貴金属合金による金属製筒体１は上端開口３のものであり、側壁には上半に矩形窓状の開口４を横並びで並列させて形成した。これにより金属製筒体１の上端開口３の周囲はリングフレーム６として構成される。
【００３３】
開口４は窓状であれば矩形に限定されるものでなく、楕円や他の形状でもよい。
【００３４】
また、金属製筒体１は側壁の下半に透孔５による網状彫刻を施している。
【００３５】
前記矩形窓状の開口４は縦長で、その大きさはコットン（綿）球２の径よりも小さく、コットン（綿）球２は矩形窓状の開口４から外に飛び出すことはない。
【００３６】
前記網状彫刻を施す透孔５は矩形窓状の開口４よりも小さなものである。
【００３７】
図２に示すように金属製筒体１は模様彫刻による透孔８を底板７を有する。
【００３８】
図中９は貴金属チェーンで、前記矩形窓状の開口４の対向するもののうち、一方から入り、他方に抜けるように架け渡して上端開口３を横切らせるようにして、金属製筒体１を吊り下げる。貴金属チェーン９はこれを貴金属ワイヤーに代えることもできる。
【００３９】
また、前記上端開口３は鉛筆等の筆記具１０の端部が嵌合するに適する径である。すなわち、筆記具１０の端部を上端開口３に差し入れた際に無理なく入れることができ、しかも、抜け出ないような締付け度合いが得られる大きさが好ましい。
【００４０】
筆記具１０は鉛筆もしくはそれに形状が類似するポールペンであり、断面円形でもよいが、６角形等の多角形でもよい。
【００４１】
これにあわせて、金属製筒体１の筒体形状も円形もしくは多角形とする。
【００４２】
次に使用法について説明する。水溶性アロマ液を染み込ませたコットン球２は金属製筒体１内に納める。
【００４３】
ペンダントヘッド吊下げ用貴金属チェーン９を用いて吊下げることによりのペンダントヘッドの使用する場合は、コットン球２を内部に収容した金属製筒体１をチェーン９により吊下げる。
【００４４】
貴金属チェーン９は、上端開口３を横切らせるようにしてあるのでコットン球２の外への逸脱を防止できる。
【００４５】
水溶性アロマ液を染み込ませたコットン球２からの天然素材を低温真空抽出法で抽出した水溶性アロマ液からの香りは、金属製筒体１の開口および側部、底部の透孔から金属製筒体１の外へ出て身体に及び、効率的に体内へと吸い込まれ、脳にダイレクトに作用することで脳内の血流を増やし脳を若返らせる効果がある。
【００４６】
鉛筆等の筆記具１０に取付けて使用する場合は、水溶性アロマ液を染み込ませたコットン球２は金属製筒体１内に納め、その上で筆記具１０の端部を上端開口３に差し入れて、金属製筒体１を筆記具１０に嵌め込む。
【００４７】
これにより、芳香が外部にでて、身体に及ぼすのは前記ペンダントヘッドの場合と同様である。
【００４８】
なお、筆記具１０の端が蓋となってコットン球が外に出ることを防止できる。
【００４９】
また、芳香は金属製筒体１の側部の透孔５のみならず底板７の透孔８からも放出されるので、効果的である。
【符号の説明】
【００５０】
１…金属製筒体              ２…コットン球
３…上端開口                ４…矩形窓状の開口
５…透孔                    ６…リングフレーム
７…底板                    ８…透孔
９…貴金属チェーン          １０…筆記具
２０…籠状扁平球体ヘッド
２１…水溶性アロマ液を染み込ませたコットン球
２２…透孔                  ２３…籠状湾曲皿体
２３ａ…縁                  ２４…蝶番
２５ａ…留め金凸部          ２５ｂ…留め金凹部
２６…第１筒体              ２７…第２筒体
２８…透孔                  ２９…透孔
３０…透孔                  ３１…筒体収納部
３３…チェ―ン取付部
【図１】
0003224451.tif 000003
【図２】
0003224451.tif 000004
【図３】
0003224451.tif 000005
【図４】
0003224451.tif 000006